(57)【要約】  【目的】  本発明は人の足の形状に合致した形状を有する靴下及び当該靴下の編成方法を提供することを目的とする。  【構成】  上記課題を解決するために本発明に係る靴下は、踵部の外側すなわち第五趾側を、内側すなわち第一趾側より大きく編成した。  また、係る形状を有する靴下の編成方法として以下のような編成方法を採用した。  口ゴム部から身部ついで足部へと編成していく靴下において、踵部の外側すなわち着用者の第五趾側は減らし目ついで増やし目を行いながら編成する。踵部の内側すなわち着用者の第一趾側は減らし目、増やし目、減らし目ついで増やし目の順に編成する。【選択図】        図１
2006132028.tif 000002
【特許請求の範囲】
【請求項１】
踵部の外側すなわち第五趾側を、内側すなわち第一趾側より大きく、すなわち着用者の足の形状に合致するように編成したことを特徴とする靴下。
【請求項２】
口ゴム部から身部ついで足部へと編成していく靴下において、踵部の外側すなわち着用者の第五趾側は減らし目ついで増やし目を行いながら編成し、踵部の内側すなわち着用者の第一趾側は減らし目、増やし目、減らし目ついで増やし目の順に編成すると共に外側方向にウェール数を多めに編成することを特徴とする靴下の編成方法。
【発明の詳細な説明】
【技術分野】
【０００１】
本発明は靴下に関し、より詳しくは人の踵によりよくフィットする靴下及びその編成方法に関する。
【背景技術】
【０００２】
靴下の一般的な編成方法は以下のようなものである。
【０００３】
図５は各部の名称を付した靴下の正面図である。靴下は一般に口ゴム部Ａ、身部Ｂ及び足部Ｃの３部に大別される。
【０００４】
口ゴム部Ａはゴム編みやゴム糸を挿入した平編みで編成することで伸縮性を大きくし、
靴下のずれ落ちを防止する役目を果たす。
【０００５】
身部Ｂは平編み等の任意の組織で編成する。
【０００６】
足部Ｃは更に踵部Ｃ１、足甲部Ｃ２、足底部Ｃ３及び爪先部Ｃ４の各部に分かれる。踵
部Ｃ１及び爪先部Ｃ４はゴアラインを中心として何回も減らし目・増やし目を行って編成
する。足甲部Ｃ２及び足底部Ｃ３は平編み等の任意の組織で編成する。
【０００７】
また、踵部の編み地に余裕を持たせ、着用時の窮屈感を軽減した靴下が特開２００１−１６４４０５号公報において提案されている。
【特許文献１】特開２００１−１６４４０５号公報
【発明の開示】
【発明が解決しようとする課題】
【０００８】
従来の靴下は一般的に人間の足の形状にあまりこだわることなく、左足用右足用といった区別なしに編成されている。また、一組の靴下の一方側靴下においても、足の内側外側等の形状の違いに考慮することなく編成されている。
【０００９】
ところが人間の足は左右対称形をなしているわけではなく、例えば踵は内側（第一趾・親指側）は小さく、外側（第五趾・小指側）は内側に比し大きいのが通常である。
【００１０】
しかるに、前述のように従来の靴下は人の踵のかような形状差にこだわることなく、内側と外側を対称形状に編成してある。
【００１１】
そこで本発明は人の足の形状に合致した形状を有する靴下及び当該靴下の編成方法を提供することを目的とする。
【課題を解決するための手段】
【００１２】
上記課題を解決するために本発明に係る靴下は、踵部の外側すなわち第五趾側を、内側すなわち第一趾側より大きく編成した。
【００１３】
また、係る形状を有する靴下の編成方法として以下のような編成方法を採用した。
【００１４】
口ゴム部から身部ついで足部へと編成していく靴下において、踵部の外側すなわち着用者の第五趾側は減らし目ついで増やし目を行いながら編成する。踵部の内側すなわち着用者の第一趾側は減らし目、増やし目、減らし目ついで増やし目の順に編成する。
【００１５】
また、踵の外側方向にウェール数を多めに編成した。
【発明の効果】
【００１６】
以下、かような解決手段がいかに作用して課題を解決するかを述べる。
【００１７】
図１は本発明に係る靴下の正面図であり、図２は同じく背面図である。ここに正面図は内側すなわち第一趾側より見ており、背面図は外側すなわち第五趾側より見たものである。尚、図１、図２に示される靴下は右足用のものを示したものである。
【００１８】
本発明に係る靴下は、踵部の内側の編成方法に通常の靴下編成方法と異なる特色がある。すなわち通常の編成方法のように減らし目工程、増やし目工程を一度だけ行うのでなく、更にもう一工程ずつ減らし目及び増やし目を行っている。これにより内側は外側に比し縮まることになるのである。つまり図中のＬ２よりもＬ１が短くなるのである。
【００１９】
また、踵の外側方向にウェール数を多めに編成していることから、外側が内側に比し大きめに編成されることになるのである。
【００２０】
かようにして本発明は人間の足の形状すなわち踵の内側は外側よりも小さいという形状に合致した靴下、つまり踵によりよくフィットする靴下の提供が可能となるのである。
【発明を実施するための最良の形態】
【００２１】
以下、好ましい発明に実施形態につき図面を参照しながら述べる。
【００２２】
本発明に係る靴下の編成方法は、踵部の編成方法を除き背景技術において述べた靴下の一般的編成方法によって構わない。よって、以下本発明の特徴をなす踵部の編成方法について述べる。
【００２３】
本発明に係る靴下も通常の靴下と同様に減らし目、増やし目を行いながら踵部を編成するという点では、通常の靴下の編成方法と変わるところはない。つまりシリンダの略半周（シリンダのキー溝とは反対側）にある長バットニードルを非編成レベル（センター・カムの上面）に上げスイッチ・カムによって上げ、残る略半周の短バッドニードルにてシリンダの正逆往復回転により針上げピッカー及び針下げによる減らし目や増やし目を行いながら編成するものである。
【００２４】
但し、踵部の外側に余裕を持たせるために、編成範囲を図４に示すように外側編成方向に広めにとってある。ここに図４はシリンダを模式的に示したものである。シリンダ４の半周よりも踵部外側編成方向に大きめに編成範囲をとっている。つまり踵部外側にウェール数が増えることになるのである。
【００２５】
尚、図中Ａ、Ｘ、Ｅの各点は図１乃至図３におけるＡ、Ｘ、Ｅ各点の編成時位置を示すものである。
【００２６】
但し、本発明に係る靴下においては踵部の内側において減らし目及び増やし目工程を二工程ずつ行っている点が、通常の靴下における踵部編成と異なるものである。つまり図１に示すように、身部３の編成から踵部１の編成に入った点たるゴアライン２ａ上の端点Ａからゴアライン２ａ上の端点Ｃまでが減らし目工程であり、Ｃからゴアライン２ａ上の中間点Ｂまでが増やし目工程であり、Ｂからゴアライン２ａ上の端点Ｄまでが減らし目工程であり、Ｄから踵部１の編成が終了する点たるＡまでが増やし目工程となる。
【００２７】
以上の内側の編成と異なり、外側の編成は通常の靴下と同様に減らし目、増やし目ともに一工程ずつ行われるものである。つまり図２に示すように身部３の編成から踵部１の編成に入った点たるゴアライン２ｂ上の端点Ｅから、ゴアライン２ｂ上の端点Ｆまでが減らし目工程であり、Ｆから踵部１の編成が終了する点たるＥまでが増やし目工程となる。
【００２８】
図３は右側面側から見た踵部１の展開図である。図中のＸ、ＹおよびＡ乃至Ｆが図１、図２におけるＸ、Ｙ及びＡ乃至Ｆに対応するものである。
【図面の簡単な説明】
【００２９】
【図１】本発明に係る靴下の正面図。
【図２】同じく背面図。
【図３】右側面側から見た踵部の展開図。
【図４】シリンダを示す模式図。
【図５】各部の名称を付した靴下の正面図。
【符号の説明】
【００３０】
１・・踵部  
２ａ、２ｂ・・ゴアライン
【図１】
2006132028.tif 000003
【図２】
2006132028.tif 000004
【図３】
2006132028.tif 000005
【図４】
2006132028.tif 000006
【図５】
2006132028.tif 000007